(57)【要約】【課題】本発明は、従来から水力発電装置はもとよりその設備は大型であってそれを構築するためには大規模な施工工事が必須となり不経済であり工期も長期化し実用化するには多くの問題点が存在するという課題があった。【解決手段】当発明に係る水流発電機１８は大概して支持構造部１９と、支持構造部１９の下部又は下面に装着した複数本つまり２本で形成したフロート部２０と、該フロート部２０を装着しかつ支持構造部１９の下部又は下面に配置した枠部２１と、該枠部２１の前方後方に回転自在に軸着した回転軸部２２と、該回転軸部２２に回転自在に固定された旋回羽根部２３と、該回転軸部２２に軸着した発電部材２４等で構成される技術である。【選択図】図１
2020090929.tif 000002
【特許請求の範囲】
【請求項１】
河川や海水の水流域に設置する水流発電機であって、支持構造部と、該支持構造部の下部又は下面に装着した複数本のフロート部と、該支持構造部に軸着した回転軸部と、該回転軸部に回転自在に固定された旋回羽根部と、該回転軸部に軸着した発電部材とで構成されたことを特徴とする水流発電機。
【請求項２】
前記旋回羽根部が汎用ゴム材、樹脂材、木製又は軽金属で作成されてなり、全体形状が線状、帯状であって、その断面が略角状又は略真円状、略皿状等でなることを特徴とする請求項１記載の水流発電機。
【請求項３】
前記旋回羽根部が自動車の使用済みタイヤで構成されたことを特徴とする請求項１記載の水流発電機。
【請求項４】
前記回転軸部にクランク機構を備えると共に該クランク機構から伝達エネルギーを前記支持構造部の上方に配置した発電部材の回転軸に伝達することを特徴とする請求項１記載の水流発電機。
【請求項５】
前記回転軸部の軸径を径大にすると共に前記旋回羽根部を該回転軸部に直接巻付け固定したことを特徴とする請求項１記載の水流発電機。
【請求項６】
前記支持構造部の上方に建築構造物を設置し該建築構造物内に監視室（モニター室）を設けたことを特徴とする請求項１記載の水流発電機。
【発明の詳細な説明】
【技術分野】
【０００１】
本発明は、河川や海水等の流水のエネルギーを利用した水流発電機に関するものである。
【背景技術】
【０００２】
この種の水流発電機を示す従来の技術の例としては、図１３に示す特開２００６−１７０５５号公開特許公報に開示された技術がある。これについて説明をすれば、図１３は、水力発電ユニット１の断面図である。水力発電ユニット１は、水密構造の筐体２を有し、この筐体２の内部に、フランシス水車３と水力発電機（図示せず）とが備えられている。また、筐体２は、ローラー４を備える台車５に固定されている。台車５は、インクライン６に沿った傾斜をもって配置され、ローラー４が取り付けられた可動部７と、定置部８における平面部９に略平行に張り出した張出部１０とを有する。そして、台車５は、定置部８におけるインクライン６の平面部９に張出部１０が当接するようにして、安定的に載置されるようになっている。フランシス水車３は、渦巻型ケーシング１１を有していて、その流入側は、導水管１２に向いており、導水管１２に着脱自在に接続されている。また、渦巻型ケーシング１１の流出側には、円錐状の流出管１３が接続されており、さらに、流出管１３には、フランシス水車３を通って発電に寄与した水を外部へ排出する吸出し管が接続されている。この吸出し管は、インクライン６に対して略平行に延在し、開口部から水を排出するようになっている。なお、流出管１３は、筐体２に対して挿通されて水密に固定されている。このような渦巻型ケーシング１１は、筐体２内に設置された支持部材１４により固定されている。フランシス水車３は、渦巻型ケーシング１１内に、回転軸を中心に回転するランナ１５と、導水管１２から流入してきた水をランナ１５の周囲からランナ１５に向けて案内する案内羽根を有している。
回転軸は、一対の軸受により回転可能に保持されており、水力発電機は、これら軸受の間に設置されている。また、水力発電機及び軸受は、筐体２内の下内面に設置された台座１６上に固定されている。図中１７は筐体２の止め具である。
【先行技術文献】
【特許文献】
【０００３】
【特許文献１】特開２００６−１７０５５号公開特許公報
【発明の概要】
【発明が解決しようとする課題】
【０００４】
従来の技術は、叙上した構成であるので次の課題が存在した。
すなわち、従来の水力発電設備等はアーチ式ダムから導水管１２を通じて、アーチ式ダム内に貯えられた水を放出することによって放水を行う。この場合、下流の河川環境の維持を目的とした維持放流を活用し、放水孔（放水部）に達した水を水力発電に用いることができる。放水孔（放水部）から放出された水は、導水管１２内を落下して、放水孔（放水部）よりも低い位置にある水力発電ユニット１のフランシス水車３における渦巻型ケーシング１１内に流される。そして、水は、案内羽根によってランナ１５に案内され、このランナ１５を回転させる。さらに、その水は流出管１３を通ってドラフトチューブから外に放出される。このようにして、ランナ１５が回転することにより、回転軸が回転するため、水力発電機は、回転軸の回転運動を電力に変換し、出力端子に出力する。出力端子に出力された電力は、ケーブルによって機械室へ送電される。機械室では、変圧器等により、送電された電力が変電される。そして、変電された電力は、機械室から他の電力施設へ送電される。
このような構成であるので水力発電装置はもとより着脱不能であってその設備は大型であってそれを構築するためには大規模な施工工事が必須となり不経済であり工期も長期化し実用化するには多くの問題点が存在した。
【課題を解決するための手段】
【０００５】
本発明はかかる問題点を解決すべく創作したものであり、特に、既存の河川や海流を利用して発電を企図した水流発電機に関し工期を短縮し比較的小型かつ経済的であって着脱容易でその実用化を促進することを目的としたものであり、次の構成、手段から成立する。
【０００６】
すなわち、請求項１に記載の発明によれば、河川や海水の水流域に設置する水流発電機であって、支持構造部と、該支持構造部の下部又は下面に装着した複数本のフロート部と、該支持構造部に軸着した回転軸部と、該回転軸部に回転自在に固定された旋回羽根部と、該回転軸部に軸着した発電部材とで構成されたことを特徴とする。
【０００７】
すなわち、請求項２に記載の発明によれば、前記旋回羽根部が汎用ゴム材、樹脂材、木製又は軽金属で作成されてなり、全体形状が線状、帯状であって、その断面が略角状又は略真円状、略皿状等でなることを特徴とする。
【０００８】
すなわち、請求項３に記載の発明によれば、前記旋回羽根部が自動車の使用済みタイヤで構成されたことを特徴とする。
【０００９】
すなわち、請求項４に記載の発明によれば、前記回転軸部にクランク機構を備えると共に該クランク機構から伝達エネルギーを前記支持構造部の上方に配置した発電部材の回転軸に伝達することを特徴とする。
【００１０】
すなわち、請求項５に記載の発明によれば、前記回転軸部の軸径を径大にすると共に前記旋回羽根部を該回転軸部に直接巻付け固定したことを特徴とする。
【００１１】
すなわち、請求項６に記載の発明によれば、前記支持構造部の上方に建築構造物を設置し該建築構造物内に監視室（モニター室）を設けたことを特徴とする。
【発明の効果】
【００１２】
本発明に係る水流発電機は、叙上の構成を有するので次の効果がある。
【００１３】
すなわち、請求項１に記載の発明によれば、河川や海水の水流域に設置する水流発電機であって、支持構造部と、該支持構造部の下部又は下面に装着した複数本のフロート部と、該支持構造部に軸着した回転軸部と、該回転軸部に回転自在に固定された旋回羽根部と、該回転軸部に軸着した発電部材とで構成されたことを特徴とする水流発電機を提供する。
このような構成としたので、全体構成を極めて簡素化し河川や海水等の水流域に簡易・迅速に設置・取外し可能な水流発電機を提供できるという効果がある。
【００１４】
すなわち、請求項２に記載の発明によれば、前記旋回羽根部が汎用ゴム材、樹脂材、木製又は軽金属で作成されてなり、全体形状が線状、帯状であって、その断面が略角状又は略真円状、略皿状等でなることを特徴とする請求項１記載の水流発電機を提供する。
このような構成としたので、旋回羽根部の材料を汎用材料として低価格であって製作性を向上させるという効果がある。
【００１５】
すなわち、請求項３に記載の発明によれば、前記旋回羽根部が自動車の使用済みタイヤで構成されたことを特徴とする請求項１記載の水流発電機を提供する。
このような構成としたので、自動車に使用されていた使用済みタイヤを廃棄処分することなく旋回羽根部に活用することにより水流発電機の実現を容易にし資源材料の有効活用を図るという効果がある。
【００１６】
すなわち、請求項４に記載の発明によれば、前記回転軸部にクランク機構を備えると共に該クランク機構から伝達エネルギーを前記支持構造部の上方に配置した発電部材の回転軸に伝達することを特徴とする請求項１記載の水流発電機を提供する。
このような構成としたので、水流発電機の下部構成部分を簡素化し該水流発電機の軽量・小型化を促進できるという効果がある。
【００１７】
すなわち、請求項５に記載の発明によれば、前記回転軸部の軸径を径大にすると共に前記旋回羽根部を該回転軸部に直接巻付け固定したことを特徴とする請求項１記載の水流発電機を提供する。
このような構成としたので、旋回羽根部を係止する回転軸棒（枝）を排除でき回転軸部を簡素化して水流のエネルギーを速やかに発電部材に伝達できるので発電効率を高めるという効果がある。
【００１８】
すなわち、請求項６に記載の発明によれば、前記支持構造部の上方に建築構造物を設置し該建築構造物内に監視室（モニター室）を設けたことを特徴とする請求項１記載の水流発電機を提供する。
このような構成としたので、当該水流発電機の電力発生に伴う発電効率や発電量、故障情報等あらゆる必要とされる技術情報を監視室のメータ類で表示でき該水流発電機を常に円滑に動作させ又、遠隔操作により無人化、省略化を実現できるという効果がある。
【図面の簡単な説明】
【００１９】
【図１】本発明に係る水流発電機の好適な実施の形態を示すもので下方から見た斜視図である。
【図２】図１に示す本発明に係る水流発電機を下方から見た底面図である。
【図３】図１に示す本発明に係る水流発電機の矢印Ｂ―Ｂ方向から見た側面図である。
【図４】本発明に係る水流発電機の実施例１を示す底面図である。
【図５】図４に示す本発明に係る水流発電機を前方又は後方から見た側面図である。
【図６】本発明に係る水流発電機の実施例２を示す拡大側面図の一例である。
【図７】本発明に係る水流発電機の実施例３を示す側面図の一例である。
【図８】図４に示す水流発電機の実施例３を示すものでその前方又は後方から見た側面図の一例である。
【図９】本発明に係る水流発電機の実施例４を示すものであって回転軸部の変形例を示す正面図の一例である。
【図１０】図９に示す水流発電機の回転軸部の斜視図の一例である。
【図１１】本発明に係る水流発電機の実施例５を示す斜視図の一例である。
【図１２】本発明に係る水流発電機から取り出した電力の制御システムを示すブロック図の一例である。
【図１３】従来の技術を示す水流発電機の断面図の一例である。
【発明を実施するための形態】
【００２０】
以下、本発明に係る実施の形態について、添付図面に基づき詳細に説明する。
【００２１】
図１ないし図３は本発明に係る水流発電機の実施形態を示す図面である。
これについて説明すると、１８は本発明に係る水流発電機である。該水流発電機１８は大概して支持構造部１９と、支持構造部１９の下部又は下面に装着した複数本つまり２本で形成したフロート部２０と、該フロート部２０を装着しかつ支持構造部１９の下部又は下面に配置した枠部２１と、該枠部２１の前方後方に回転自在に軸着した回転軸部２２と、該回転軸部２２に回転自在に固定された旋回羽根部２３と、該回転軸部２２に軸着した発電部材２４等で構成されている。尚、補助部材として油圧シリンダ２５、前記回転軸部２２に連結するシリンダ軸２６等を備えている。
【００２２】
図１ないし図３に示す水流発電機１８は、河川や海水等水流が存在するあらゆる地域、区域等の水流域に設置でき河川流、潮流や海流等を利用する装置である。水流発電機１８の前記支持構造部１９の全部又は一部を水流面や水流中に設置しその一部又は全部を鋼体等の固定部材や係留索で水流面や水流中の外の例えば土地構成物や河川等の岸壁等に接続する。また、土地構成物や河川等の岸壁等に直接に固定装置で着脱自在に固定してもよく、係留索等を除外して誘導線で該水流発電機１８を浮動させてもよい。さらに、水流発電機１８は水流が少ない場合の設置場所から引上げて例えば、水流の急激な別の水流域に設置し、効果的に配設可能である。
【００２３】
前記支持構造部１９はその材質が比較的軽量であって金属や木製や樹脂等の材料で作成可能であり、経済的かつ強度性や耐久性を考慮して好適に製作される。
前記支持構造部１９と前記枠部２１を本例では別部材としたが同一部材であってもよく単一部材で構成してもよい。つまり、支持構造部１９が枠部２１の機能を兼備してもよい。そして回転軸部２２は図２に示すように外方に張出した回転軸棒２２ａ（枝）を介して前記旋回羽根部２３を固定する。そして、図１ないし図３に示す水流発電機１８は単一の回転軸部２２に旋回羽根部２３を巻装して構成したものでそれ故に単一の発電部材２４から電力を取込む構成例である。
【００２４】
ここで、前記フロート部２０は略円筒体で構成されてあって支持構造部１９の下部又は下面であって左右にそれぞれ配置されている。該フロート部２０は２本に限定されず、複数本や多数本設置可能であり、支持構造部１９の全長と概ね同一であり、中空状でその前後面を閉塞し軽量であってアルミニウム等金属やＦＲＰ樹脂等の材料で形成されている。
また上述した旋回羽根部２３は全体が単一の線状又は帯状であって断面形状が、略角状や略皿状の比較的柔軟な部材、その他部材であって例えば汎用ゴム材、樹脂材、木製、軽鉄材、アルミニウム等で構成し、これを前記回転軸部２２の周囲でありかつ回転軸部２２の軸長全体に旋回させて巻付ける。そして図３に示すように前記回転軸部２２の回転軸棒２２ａ（枝）に固着する。該回転軸部２２ａを排除する場合は回転軸部２２に直接巻装する。上述旋回羽根部２３は長尺状のものを回転軸部２２に巻装する場合以外に部材を略円弧状や略皿上等に短冊形状に切断したものを多数個連続的に該回転軸部２２に固着してもよい。そして、該旋回羽根部２３の材料は新規なものであってもよいが使用済みの部材も可能である。例えば、車両や自動車等に装着された使用済みタイヤ又は建築用資材を活用する。
【００２５】
次に図１ないし図３に示す本発明に係る水流発電機１８の実施形態に基づきその作用等を説明する。
河川や海水等の水流、海流又は潮流が矢印Ａ方向に流入すれば旋回羽根部２３が旋回して回転軸部２２を急速に回転する。つまり、水流や海流、潮流は矢印Ａの方向に流れ、これが水流発電機１８の支持構造部１９に当たり、また、その流速により下面や下部に存在する旋回羽根部２３や回転軸部２２を回すことで発電部材２４回の転子を回転することで該発電部材２４によって発電する。
【００２６】
一方、上記フロート部２０は、水流発電機１８に一定の浮力を与え、水面や水中に安定に保持すると共に、旋回羽根部２３の回転に伴い生じる力を、バラスト部（図示せず）と共同して打ち消す働きがある。このフロート部２０の形態は、円筒形状で水流中で抵抗が少ない形態が好ましく、例えば、上記以外に偏平円状、楕円形状、紡錘形状等が望ましい。また、該フロート部２０は外装を金属またはＦＲＰ成型体で構成し、その本体中に、例えば浮力を与える発泡性樹脂等を充填することで形成することができる。このようにすれば支持構造部１９が重い場合にも適合できる。
【００２７】
一方、支持構造部１９にバラスト部、即ち重錘を設けてもよく、フロート部２０の浮力と釣り合いを取り、水流発電機１８を一定の深度の海中に保持する機能と、上記の旋回羽根部２３の回転に伴い生じる力を打ち消す働きがある。このバラスト部は、上記した作用に適した重量であることが必要であり、種々の金属材料や石材により調整することができる。なお、このバラスト部は、支持構造部１９等に接続する係留索や接続線の一部を重量の重い材料例えば金属索等にしても良い。尚、上述のバラスト部は実施形態によっては排除してもよい。
また、この発電部材２４はその内部に電機子や回転子を備え、これを回転させることにより電気を発生させるいわゆる小型発電機等で構成されるものである。また該発電部材２４の軸端部２７は、回転軸部２２の軸方向に対し、ほぼ直交するようにしてもよく、こうすることで、水面とほぼ平行して流れる水中の水流を使用し、安定的に発電することができる。
【００２８】
前記発電部材２４すなわち、発電機は例えば密閉した水密構造に構成し、長時間に水面や水中に設置した場合にも耐水性を保持し、発電機能を損なわないように処理されるものとする。また、該発電部材２４は水面や水中ではなく例えば支持構造部１９の上方や当該水流発電機１８に備えた建築構造物の中に設置してもよい。かかる場合、前記回転軸部２２にクランク機構（図示せず）を連結しこの前記回転軸部２２の回転力を該フランク機構に伝達しこれに接続した発電部材２４を動作させて発電を行うことができる。
次に本発明に係る水流発電機１８の各実施例について説明する。
【実施例１】
【００２９】
図４、図５は本発明に係る水流発電機１８Ａの実施例１を示す図面であって図４は本発明に係る水流発電機１８Ａの下方から見た底面図であり、図５が本発明に係る水流発電機１８Ａの前方、後方から見た図４の側面図である。
これについて説明すると、１８Ａは本発明に係る水流発電機である。該水流発電機１８Ａは大概して平板状の支持構造部１９Ａと、支持構造部１９Ａの下部又は下面に装着した左・右に各１本で形成したフロート部２０Ａ、２０Ｂと、該フロート部２０Ａ、２０Ｂを装着しかつ支持構造部１９Ａの下部又は下面に配置した弧状の枠部２１Ａ、２１Ａと、該弧状の枠部２１Ａ、２１Ａの前後に回転自在に軸着した４本の回転軸部２２Ａないし２２Ｄと、該回転軸部２２Ａないし２２Ｄに回転自在に固定された旋回羽根部２３Ａないし２３Ｄと、該回転軸部２２Ａないし２２Ｄに軸着した発電部材２４Ａないし２４Ｄ等で構成されている。
【００３０】
図４、図５に示す水流発電機１８Ａは河川や海水等水流、海流又は潮流が存在するあらゆる地域、区域の水流域に設置でき潮流や海流等を利用する装置である。水流発電機１８Ａの前記平板状の支持構造部１９Ａを全部又は一部を水流面や水流中に設置しその一部を鋼体等の固定部材や係留索で水流面や水流中の外の例えば土地構成物や河川等の岸壁等に直接又は間接的に接続する。また、誘導線で該水流発電機１８Ａを浮動させてもよい。さらに、水流発電機１８Ａは水流が少ない場合設置場所から引上げて例えば、水流の急激な別の水流域に設置し、効果的に配設可能である。前記支持構造部１９Ａはその材質が比較的軽量であって部材全般を金属や木製や樹脂等の材料で作成可能であり、経済的かつ強度性や耐久性を考慮して製作される。
【００３１】
前記平板状の支持構造部１９Ａと前記弧状の枠部２１Ａを本例では別部材としたが同一部材であってもよく単一部材で構成してもよい。そして回転軸部２２Ａないし２２Ｄは図２に示すように回転軸棒２２ａを介してそれぞれ前記旋回羽根部２３Ａないし２３Ｄを固定する。そして、図４、図５に示す水流発電機１８Ａは４つの回転軸部２２Ａないし２２Ｄに４つの旋回羽根部２３Ａないし２３Ｄを巻装して構成したものでそれ故に４つの発電部材２４Ａないし２４Ｄから電力を取込む構成例である。そしてこれを集約し総合発電力を高める機能がある。
【００３２】
ここで、前記フロート部２０Ａ、２０Ｂは略円筒体で構成されてあって平板状の支持構造部１９Ａの下部又は下面であって左右にそれぞれ各１個配置されている。該フロート部２０Ａ、２０Ｂは多数個であってもよく、支持構造部１９Ａの重量や大きさを考慮して設定し該支持構造部１９Ａの全長と概ね同一長を有し中空状でその前後面を閉塞し軽量であってアルミニウム等金属や樹脂等の材料で形成されている。
また上述した旋回羽根部２３Ａないし２３Ｄは全体が単一の線状又は帯状であってその断面が、略角形状や略皿状の比較的柔軟な部材その他の部材であって例えば汎用ゴム材、樹脂材、木製、軽鉄材等で構成し、これを前記回転軸部２２Ａないし２２Ｄの周囲でありかつ回転軸部２２Ａないし２２Ｄの軸長全体に巻付ける。そして図５に示すように前記回転軸部２２Ａないし２２Ｄの回転軸棒２２ａに固着する。上述の材料は新規なものであってもよいが使用済みの部材も可能である。例えば、車両や自動車等に装着された使用済みタイヤ又は建築用資材等を活用する。
【００３３】
前記発電部材２４Ａないし２２Ｄすなわち、発電機は例えば密閉した水密構造に構成し、長時間に水面や水中に設置した場合にも耐水性を保持し、発電機能を損なわないように処理されるものとする。また、該発電部材２４Ａないし２４Ｄは水面や水中ではなく例えば支持構造部１９Ａの上部や当該水流発電機１８に備えた建築構造物の中に設置してもよい。かかる場合、前記回転軸部２２Ａないし２２Ｄにクランク機構（図示せず）を連結しこの前記回転軸部２２Ａないし２２Ｄの回転力をクランク機構に伝達して発電部材２４Ａないし２４Ｄで発電を行うことができる。
【００３４】
尚、実施例１のほかの構成、作用については上述した実施の形態の説明ですでに説明してあり略同一の構成、作用であり、その説明を省略する。上記の実施例１によれば特に図５に示すように弧状の枠部２１Ａに旋回羽根部２３Ａないし２３Ｄを上下段差を設定して順次取付けた構成となり、前記支持構造部１９Ａの幅長を短く設定できるうえに水面から上下の深さまでの水流も上下幅に適応させることができる。
【実施例２】
【００３５】
図６は本発明に係る水流発電機１８の実施例２を示すものであって特に、回転軸部２２Ｅ等の変形例を示している。
該回転軸部２２Ｅは上述した実施の形態や実施例１に示す回転軸部２２、２２Ａないし２２Ｄよりその軸径が径大であり、比較的大型の水流発電機１８に適応される。
該回転軸部２２Ｅは前端、後端に発電部材２４Ｅに連結する軸端部２７、２７を設けている。そして旋回羽根部２３Ｅは単一の長尺状の線状又は帯状であってこれを該回転軸部２２Ｅに旋回させて巻付ける。該旋回羽根部は適宣厚さ又は幅を有し、断面が例えば図示するように略四角形状で構成され、ボルト等の止着部品２８で軸長に沿って一連に回転軸部２２Ｅに固定される。このようにすれば該旋回羽根部は破損や損傷することなく急激な水流であっても旋回羽根部２３Ｅが回転軸部２２Ｅから離脱することはない。そして、該回転軸部２２Ｅの両端面には保護カバー２２ｂ、２２ｂが設けられ端面の磨耗を防止している。図中、２４Ｅは発電部材である。当実施例２は前述した実施の形態や、実施例１に限らず後述する。実施例３ないし５にも適用でき適用範囲は広い。また、該回転軸部２２Ｅを径小にしてもよく特に水流発電機１８の下部構造をシンプル化してうえで発電力を増強させるという特徴点がある。
【００３６】
尚、実施例２のほかの構成、作用については上述した実施の形態の説明ですでに説明してあり略同一の構成、作用であり、その説明を省略する。
【実施例３】
【００３７】
図７、図８は本発明に係る水流発電機１８Ｂの実施例３を示すものであって特に支持構造部材１９Ｂの上方に建築枠体２９を設置し、更に該建築枠体２９の上部に諸設備を備えた設置スペース３０を設けた構成である。実施例３に示す水流発電機１８Ｂは支持構造部材１９Ｂの下方又は下部に２本の回転軸部２２Ｆ、２２Ｇを設置した例である。図中、２２ａ、２２ａは回転軸棒（枝）でそれぞれ回転軸部２２Ｆ、２２Ｇに連結している。前記建築枠体２９は例えばその内部に電力計や諸メーターを収容し、発電に係る諸データーを監視させる部屋とすることもでき、無人化して遠隔操作をさせることもできる。そして設置スペース３０には避雷針等を設置し水流発電機１８Ｂや建築枠体２９内のメーター類等を保護し建築枠体２９の耐久性を向上させる。尚、実施例３のほかの構成、作用については上述した実施の形態や実施例１，２等の説明ですでに説明してあり略同一の構成、作用であり、その説明を省略する。
【実施例４】
【００３８】
図９、図１０は本発明に係る水流発電機１８の実施例４を示すものであって特に支持構造部材１９の下方又は下部に設置する回転軸部２２Ｈの実施例を示すものである。該回転軸部２２Ｈは単一であって全体構成が比較的大型の設置ものを示してあり、全体構成が１５角形状の格子状枠体でなるものである。この実施例４に示す回転軸部２２Ｈは軸中心柱３１とこれから放射状に突出する単一又は複数部品でなる１５本の枝３２と、該１５本の枝３２の相互間を連結する15本の略傘体３３とで構成されている。この実施例４によれば回転軸部２２Ｈ自体が補強性を備え、強度を高めているので極めて急速な水流や広汎な河川、海水の水流にも適用させることができる。上述した回転軸部２２Ｈの材料、材質は上述した実施形態や実施例１等で説明したもの略同一のもので適用する。そして、図示しないが該回転軸部２２Ｈの周囲には上述した各種の実施例等で示す旋回羽根部２３を囲撓する。また、該旋回羽根部２３の各部材を止着する。そうすることにより、該回転軸部２２Ｈの回転力を増強させ、極めて耐久性の高い水流発電機１８を提供できる。図中２４Ｇは発電部材である。尚、図示するに上記枝３２は径大部と径小部の2本で構成してもよい。実施例４のほかの構成、作用については上述した実施の形態、実施例１ないし３の説明ですでに説明してあり略同一の構成、作用であり、その説明を省略する。
【実施例５】
【００３９】
図１１は本発明に係る水流発電機１８の実施例５を示すものであって特に、支持構造部材１９Ｃの上方に建築構造物２９Ａを設置し、更に該建築構造物２９Ａの上部に避雷針３０ａを設けた構成である。実施例５に示す水流発電機１８は支持構造部材１９Ｃの下方又は下部に６本の回転軸部２２Ｈを設置した例である。図中、２２ａは回転軸棒（枝）でそれぞれ６本の回転軸部２２Ｈに連結している。前記建築構造物２９Ａはその内部に例えば配電盤、電力計や諸メーター類を収容しており監視作業員も介在させている。そして、発電に係る諸メーターを監視させる部屋としている。また、無人化して遠隔操作をさせることもできる。そして避雷針３０ａ等を設置しているので水流発電機１８、諸設備を保護し耐久性を向上させる。尚、図中２３Ｈは旋回羽根部であり、実施例５のほかの構成、作用については上述した実施の形態や他の実施例の説明ですでに説明してあり略同一の構成、作用であり、その説明を省略する。
【００４０】
次に、水流発電機から発生した電力を配電するシステムについて図１２に基づいて説明する。回転軸部２２からの回転運動を電気信号に変える水流発電機１８と、この出力側に制御回路３４を設け、充電制御回路３６を動作すると共に商用電気変換回路３５を動作させ交流電力に変換して取出す。そして該水流発電機１８の発電量や商用電気の利用量などを監視して制御する。また、該商用電力変換回路３５でＡＣ１００ＶやＡＣ２００Ｖなど一般家庭に利用できる電気に変換する。そして、該制御回路３４で充電器制御回路３６を動作させ充電器３７の充電や放電を制御する。そして充電器３７で電気を蓄えて置き該充電器３７を鉛電池、リチューウム電池などで構成する。
【産業上の利用可能性】
【００４１】
本発明に係る水流発電機は、河川や海水等水流が存在するあらゆる地域、区域等の水流域に設置でき河川流、潮流や海流等を利用する装置である。簡易・迅速に取付けかつ取外して設置でき、軽量であって構成材料を比較的廃棄処分材料でも可能としてそれの経済性を高め量産を可能として発電機業界や需要者に寄与できその利用可能性が高い技術である。
【符号の説明】
【００４２】
１８        水流発電機
１８Ａ      水流発電機
１８Ｂ      水流発電機
１９        支持構造部
１９Ａ      平板状の支持構造部
１９Ｂ      支持構造部材
１９Ｃ      支持構造部材
２０        フロート部
２０Ａ      フロート部
２０Ｂ      フロート部
２１        枠部
２１Ａ      枠部
２２        回転軸部
２２Ａ      回転軸部
２２Ｂ      回転軸部
２２Ｃ      回転軸部
２２Ｄ      回転軸部
２２Ｅ      回転軸部
２２Ｆ      回転軸部
２２Ｇ      回転軸部
２２Ｈ      回転軸部
２２ａ      回転軸棒（枝）
２２ｂ      保護カバー
２３Ａ      旋回羽根部
２３Ｂ      旋回羽根部
２３Ｃ      旋回羽根部
２３Ｄ      旋回羽根部
２３Ｅ      旋回羽根部
２３Ｆ      旋回羽根部
２３Ｇ      旋回羽根部
２３Ｈ      旋回羽根部
２４        発電部材
２４Ａ      発電部材
２４Ｂ      発電部材
２４Ｃ      発電部材
２４Ｄ      発電部材
２４Ｆ      発電部材
２４Ｇ      発電部材
２４Ｈ      発電部材
２５        油圧シリンダ
２６        シリンダ軸
２７        軸端部
２８        止着部品
２９        建築枠体
２９Ａ      建築構造物
３０        設置スペース
３０ａ      避雷針
３１        軸中心柱
３２        枝
３３        傘体
３４        制御回路
３５        商用電力変換回路
３６        充電制御回路
３７        充電器
【図１】
2020090929.tif 000003
【図２】
2020090929.tif 000004
【図３】
2020090929.tif 000005
【図４】
2020090929.tif 000006
【図５】
2020090929.tif 000007
【図６】
2020090929.tif 000008
【図７】
2020090929.tif 000009
【図８】
2020090929.tif 000010
【図９】
2020090929.tif 000011
【図１０】
2020090929.tif 000012
【図１１】
2020090929.tif 000013
【図１２】
2020090929.tif 000014
【図１３】
2020090929.tif 000015